(57)【要約】      （修正有）【課題】空調機室で得た空調済空気を、複数台の送風機を用いてムラなく送気用区画部に導き入れる空調システムを提供する。【解決手段】空調機１４０で空調した空調済空気を複数の住居域に送風するために、空調機室１２１の側から形成された送気用区画部１１３を備える。そして、この送気用区画部１１３に空調機室１２１から空調済空気を複数の送風機１２３a１〜１２３a８で送風するに当たり、送風機ごとの送風ダクト１２８を、それぞれの送風機１２３a１〜１２３a８から送気用区画部１１３まで延伸する。【選択図】図２
2018128219.tif 000002
【特許請求の範囲】
【請求項１】
複数の住居域を有する住居のための空調システムであって、
空調機を有する空調機室と、
該空調機で空調済みの空調済空気を前記複数の住居域に送風するために前記空調機室の側から形成された送気用区画部と、
該送気用区画部に前記空調済空気を送風する複数の送風機と、
該複数の送風機のそれぞれから前記送気用区画部に亘って個別に設けられた複数の送風ダクトとを備える、
空調システム。
【請求項２】
請求項１に記載の空調システムであって、
前記複数の送風ダクトは、
ダクト一端が前記送風機の吹出口に接続され、ダクト他端が前記送気用区画部に位置すると共に、前記ダクト他端の側において隣接する送風ダクト間の隔たりを前記ダクト一端の側において隣接する送風ダクト間の隔たりよりも小さくして配設されている、
空調システム。
【請求項３】
請求項１または請求項２に記載の空調システムであって、
前記送気用区画部と前記空調機室との連設箇所に、前記空調機室と仕切壁を隔てて形成された送風機用チャンバー室を備え、
前記複数の送風機は、前記送風機用チャンバー室の前記仕切壁に配設されている、
空調システム。
【請求項４】
前記送風ダクトは消音機能を有する、請求項１から請求項３のいずれか一項に記載の空調システム。
【請求項５】
請求項１から請求項４のいずれか一項に記載の空調システムであって、
前記送気用区画部に内接配置されるダクト保持体を有し、
該ダクト保持体は、前記送気用区画部に位置するダクト他端が入り込む複数の貫通孔を有する、
空調システム。
【請求項６】
前記送風機は一定風量の送風機能を有する、請求項１から請求項５のいずれか一項に記載の空調システム。
【発明の詳細な説明】
【技術分野】
【０００１】
本発明は、空調システムに関する。
【背景技術】
【０００２】
近年になり、住居の居間や台所等の各部屋を個別に空調することに代え、一台もしくは小数台の空調機で、住居の各部屋の他、廊下、階段、或いは玄関、トイレ、浴室等の区画された複数の住居域の空調を行うことが提案されている（例えば、特許文献１等）。この特許文献で提案された空調システムは、屋根裏に設けた空調機室で空調機により空調した空気（以下、空調済空気）を、住居床下まで延びる送気用区画部を経て空調機室から床下に送り出し、各住居域に床下のダクトを用いて、或いは直接、空調済空気を導き入れている。
【先行技術文献】
【特許文献】
【０００３】
【特許文献１】特開２０１４−２０２４６０号公報
【発明の概要】
【発明が解決しようとする課題】
【０００４】
上記した特許文献の空調システムは、空調機室から送気用区画部への空調済空気の送り出しに、空調機室に設けた複数台の送風機を用いている。こうした送風形態では、シロッコファンを内蔵した送風機が多用されている。この送風機は、例えば３０ｃｍ角の略正方形の吸込パネルにより吸込口側の壁面に配設され、直径１５ｃｍ程の吹出口から吸入空気を吹き出す構造を備えている。こうしたシロッコファン内蔵の送風機を複数台配設するに当たり、３０ｃｍ角の吸込パネルを例えば縦横に並べてそれぞれの送風機からほぼ均等に送気用区画部に空調済空気を送り込めれば、特段の支障は無い。ところが、空調機室を屋根裏や送気用区画部に隣接した２階住居域に設ける場合、屋根組や２階の間取りと言った住居構造の制約を受けて、いくつかの送風機を送気用区画部から離れて配設せざるを得ないことも有り得る。送風機から送気用区画部までの隔たりが不均一であると、空調機室から送気用区画部に到る間において空調済空気の流れの乱れによる圧力損失が起きた状態で、送気用区画部に空調済空気が入り込み得る。こうしたことから、空調機室で得た空調済空気を、複数台の送風機を用いてムラなく送気用区画部に導き入れることが要請されるに到った。
【課題を解決するための手段】
【０００５】
本発明は、上述の課題の少なくとも一部を解決するためになされたものであり、以下の形態として実現することが可能である。
【０００６】
（１）本発明の一形態によれば、空調システムが提供される。この空調システムは、複数の住居域を有する住居のための空調システムであって、空調機を有する空調機室と、該空調機で空調済みの空調済空気を前記複数の住居域に送風するために前記空調機室の側から形成された送気用区画部と、該送気用区画部に前記空調済空気を送風する複数の送風機と、該複数の送風機のそれぞれから前記送気用区画部に亘って個別に設けられた複数の送風ダクトとを備える。
【０００７】
この形態の空調システムでは、空調機で空調した空調済空気の空調機室から送気用区画部への送風を、複数の送風機のそれぞれから送気用区画部に亘って設けられた複数の送風ダクトで担う。よって、住居構造の制約やショートサーキット回避のためにいくつかの送風機を送気用区画部から離れて配設せざるを得ない場合でも、これら送風機を含む総ての送風機からの送風ダクトを送気用区画部まで延伸できる。このため、総ての送風機からの送風ダクトにより安定した空気の流れで送気用区画部に空調済空気を送風できると共に、ある送風機から送気用区画部への送風に他の送風機からの送風に影響を及ぼさない。この結果、この形態の空調システムによれば、空調機室で得た空調済空気を複数台の送風機を用いてムラなく送気用区画部に導き入れることができる。
【０００８】
（２）上記形態の空調システムにおいて、前記複数の送風ダクトは、ダクト一端が前記送風機の吹出口に接続され、ダクト他端が前記送気用区画部に位置すると共に、前記ダクト他端の側において隣接する送風ダクト間の隔たりを前記ダクト一端の側において隣接する送風ダクト間の隔たりよりも小さくして配設されているようにしてもよい。こうすれば、総ての送風機からの送風ダクトを、ダクト他端が送気用区画部に位置して近接するように、送気用区画部まで延伸できる。このため、より安定した空気の流れでの送気用区画部への空調済空気の送風が可能となり、送気用区画部への空調済空気の導き入れをよりムラのない状態で実行できる。
【０００９】
（３）上記形態の空調システムにおいて、前記送気用区画部と前記空調機室との連設箇所に、前記空調機室と仕切壁を隔てて形成された送風機用チャンバー室を備え、前記複数の送風機は、前記送風機用チャンバー室の前記仕切壁に配設されているようにしてもよい。こうすれば、送風機用チャンバー室の仕切壁に、複数の送風機を例えば縦横に配設できるので、送風機用チャンバー室における送風ダクトの設置作業や保守点検も容易となる。
【００１０】
（４）上記のいずれかの形態の空調システムにおいて、前記送風ダクトは消音機能を有するようにしてもよい。こうすれば、送気用区画部への空調済空気の送風に際して発生し得る異音、例えば送気用区画部に空調済空気が到るまでの間の共鳴音などを抑制できる。
【００１１】
（５）上記のいずれかの形態の空調システムにおいて、前記送気用区画部に内接配置されるダクト保持体を有し、該ダクト保持体は、前記送気用区画部に位置するダクト他端が入り込む複数の貫通孔を有するようにしてもよい。こうすれば、送風ダクトの設置作業がより簡便となる。
【００１２】
（６）上記のいずれかの形態の空調システムにおいて、前記送風機は一定風量の送風機能を有するようにしてもよい。こうすれば、それぞれの送風ダクトから送気用区画部に送風される空調済空気の風量と風速が定量となるので、送気用区画部での空調済空気の合流の際、および送気用区画部を空調済空気が通過する際に発生し得る異音を抑制できる。
【００１３】
なお、本発明は、種々の態様で実現することが可能である。例えば、空調システムの送風機構の他、空調システムを有する住居等の形態で実現することができる。
【図面の簡単な説明】
【００１４】
【図１】本発明の実施形態としての空調システムを有する住居の概略構成を模式的に縦断面視して示す説明図である。
【図２】空調機室と送風機用チャンバー室の様子を図１における２−２線に沿った方向から正面視して概略的に示す説明図である。
【図３】空調機室と送風機用チャンバー室の様子を図２における３−３線に沿った方向から平面視して概略的に示す説明図である。
【図４】送気用区画部までの送風ダクトの延伸の様子を概略的に示す説明図である。
【図５】変形例の送風機用チャンバー室の平面視態様を示す説明図である。
【発明を実施するための形態】
【００１５】
図１は、本発明の実施形態としての空調システム１２０を有する住居１００の概略構成を模式的に縦断面視して示す説明図である。
【００１６】
図示するように、住居１００は、基礎１０１に建てられた高気密・高断熱の２階建て住居であって、各階に複数の住居域を区画して有し、各住居域を後述の空調システム１２０にて空調する。住居域の割り当ては、各住居ごとに個別に設定でき、本実施形態では、例えば次のようにした。住居１００は、図１に示す紙面において、１階に住居域２１０と住居域２１１を備え、２階に住居域２２１と住居域２２２を備える。この他、住居１００は、図１の紙面奥側にも住居域を備える。１階の住居域２１０などは、基礎１０１に形成される床下空間１１１と住居床１１２を隔てて、当該床下空間の上に並んでいる。なお、住居域の構成は、本発明の要旨と直接関係しないので、住居域形状等については、適宜、簡略して説明する。
【００１７】
１階の住居域２１０は、図示しない玄関領域と１階廊下領域と階段ステップＳが配列済みの階段領域を含み、階段ステップＳを含む領域において、天井が２階天井まで届くいわゆる吹き抜け形態を採る。よって、住居域２１０は、住居床１１２から天井までの住居域高さが１階の他の住居域より高く、その天井１０８を隔てて空調機室１２１の下方まで延びる高天井住居域となっている。こうした高天井住居域の住居域２１０を、１階部分にリビングやキッチンを階段領域と共に有するいわゆる共有住居域とするようにしてもよい。１階の他の住居域は、居間や客間等として利用可能である。これら１階の住居域は、住居構成基材としての住居内外壁および各住居域の天井にて区画されている。２階の住居域は、子供部屋や寝室等として利用可能であり、住居構成基材としての住居内外壁および各住居域の天井にて区画されている。
【００１８】
住居１００は、屋根１０９と２階の天井１０８の間の屋根裏１１０に、空調システム１２０を有する。この空調システム１２０は、空調機室１２１と、後述の送気用区画部１１３の上部を占める送風機用チャンバー室１２４と、空調機１４０と、外気導入系１５０とを有する。空調機室１２１は、既述した住居域２１０等の各住居域とは別に形成され、その内壁である仕切壁１２２を断熱材にて被覆し、後述の空調機１４０にて空調された空気の熱を外部に漏らさないようにしている。図２は、空調機室１２１と送風機用チャンバー室１２４の様子を図１における２−２線に沿った方向から正面視して概略的に示す説明図である。
【００１９】
空調機室１２１と送風機用チャンバー室１２４は、仕切壁１２２を挟んで隣り合い、送風機用チャンバー室１２４は、後述の送気用区画部１１３と空調機室１２１との連設箇所に仕切壁１２２を隔てて形成されている。空調システム１２０は、空調機室１２１の側から住居１００の床下の側、詳しくは床下空間１１１までに亘って住居外壁の側に形成された送気用区画部１１３を備える。この送気用区画部１１３は、その上端側で送風機用チャンバー室１２４の空調側域に連通し、下端側では、床下空間連通箇所１１４にて床下空間１１１と連通し、住居域２１０に隣接して送風機用チャンバー室１２４から床下空間１１１まで延びる。このように延びる送気用区画部１１３は、その上端から下端までに亘って内部に送風路を形成し、空調機室１２１にて空調機１４０により空調された空調済空気ＣＡを住居域２１０等の複数の住居域に送風するために機能する。本実施形態では、送気用区画部１１３は、長辺と短辺の比が略２：１の長方形断面の送風路を形成する。空調システム１２０は、空調機室１２１の仕切壁１２２に設けた複数台のモーター駆動の送風機１２３ａにより、送気用区画部１１３に空調済空気ＣＡを送風し、送気用区画部１１３の下端側に設けた複数台のモーター駆動の送風機１２３ｂにより、送気用区画部１１３を経て空調機室１２１から床下空間１１１に送風する。
【００２０】
空調機室１２１は、内部に１台の空調機１４０を備え、後述の外気導入系１５０による住居外からの外気の送気と、住居域２１０に後述するように送気済みの空気のリターンとを受ける。この場合、住居域２１０に送気済みの空気の空調機室１２１へのリターンは、天井１０８に設けた図示しない送気口でなされる。空調機１４０は、空調機室１２１に外気導入系１５０から導入されて除塵済みの外気と住居域２１０からリターンしたリターン空気を目標温度に空調する市販のエアコンであり、空調済空気ＣＡを吹き出す。この場合、住居規模によっては、空調機室１２１に２〜３台程度の少数台の空調機１４０を設けてもよい。空調機１４０の室外機（図示略）は、住居１００の外に設置されている。外気導入系１５０は、住居外壁に設置済みの外気吸入部１５１から空調機室１２１の接続部１５３までの外気導入管１５４に、熱交換器１５５と、エアフィルター１５６を有する。熱交換器１５５は、後述の排気管１５７を流れる空気と外気導入管１５４を通過する空気の熱交換を行い、空調機１４０による空調のエネルギーロスの低減を図る。なお、空調の目標温度や総風量は、本発明の要旨と直接関係しないので、その説明を省略する。
【００２１】
次に、各階の住居域への空調済空気ＣＡの導入構成と各住居域での空気導入・排出の様子について説明する。
【００２２】
１階の住居域２１０は、住居床１１２に、送気口１１５とモーター駆動の吸引送風機１１６とを備える。送気口１１５と吸引送風機１１６とは対となって住居床１１２に複数対設置され、送気口１１５は、吸引送風機１１６が床下空間１１１から吸引した空気、即ち、送気用区画部１１３を経て空調機室１２１から床下空間１１１（詳しくは、住居域２１０の下方を占める床下空間１１１ａ）に送り出された空調済空気ＣＡを、住居域２１０の内部に導き入れる。本実施形態では、住居域２１０の占有容積が大きいことを考慮して、住居域２１０に送気口１１５と吸引送風機１１６とを４対設置したが、送気口１１５の送風能力によっては、住居域２１０の占有容積を考慮して、５対以上としたり、２〜３対としてもよい。また、床下空間１１１ａには送風機１２３ｂにて空調済空気ＣＡが送り出されるので、この空調済空気ＣＡは、それぞれの送気口１１５から住居域２１０に流入可能となる。よって、複数の送気口１１５のうちのいくつかについて、或いは全部について吸引送風機１１６を省略してもよい。
【００２３】
住居域２１１を始めとする住居域２１０以外の１階住居域は、各住居域が占める住居床１１２に、送気口１１５を備え、住居域２１０との区画箇所である住居内壁に、流出口１３０とこれに対となるモーター駆動の吸引送風機１３１とを備える。住居域２１０以外の１階住居域は住居域２１０に比べて占有容積が小さいことから、送気口１１５については、一つとされている。この他、住居域２１０以外の１階住居域は、住居床１１２の下方の床下空間１１１に、住居域ごとのダクト２１１ｄとモーター駆動のダクト内送風機１１９を備える。ダクト２１１ｄは、断熱性を備え、送気用区画部１１３と住居域２１０の下方を占める床下空間１１１ａとの床下空間連通箇所１１４を基点とし、当該連通箇所から住居域２１０以外の１階住居域の下方を占める住居域ごとの床下空間１１１ｂまで延び、床下空間連通箇所１１４において、送風機１２３ｂと接続され、各住居域では、送気口１１５に接続される。
【００２４】
ダクト内送風機１１９は、送気口１１５の下方側においてダクト内に配設され、ダクト２１１ｄ内での送気を図る。従って、住居域２１０以外の１階の各住居域は、住居域２１０の下方を占める床下空間１１１ａに送気用区画部１１３を経て送り出された空調済空気ＣＡを、各住居域に該当するダクト２１１ｄと各ダクトのダクト内送風機１１９とを介して送気口１１５から導き入れる。そして、住居域２１０以外の１階の各住居域は、導き入れた空調済空気ＣＡを、吸引送風機１３１にて流出口１３０から住居域２１０に流出する。なお、ダクト２１１ｄを介した空調済空気ＣＡの導入に際しては、ダクト内送風機１１９に代えて床下空間連通箇所１１４に設けた送風機１２３ｂを用いてもよい。また、住居域２１０以外の１階の各住居域には、ダクト内送風機１１９により送気口１１５から空調済空気ＣＡが導入されていることから、住居域２１０への空気流出を図る吸引送風機１３１については、省略してもよい。
【００２５】
住居域２２１を始めとする２階の各住居域は、各住居域が占める２階床２３１に、送気口１１５とこれに対となる吸引送風機１１６とを備え、２階床下空間２３２に導入された空調済空気ＣＡを、吸引送風機１１６にて送気口１１５から導き入れる。住居域２２１は、その天井１０８に排気口１７０とこれに対となるモーター駆動の吸引送風機１７２とを備え、住居域２２１に導入された空調済空気ＣＡを、吸引送風機１７２にて排気口１７０から外気導入系１５０の排気管１５７に排気する。他の２階の住居域にあっては、２階部分における住居域２１０との区画箇所である住居内壁に、流出口１３０とこれに対となるモーター駆動の吸引送風機１３１とを備え、上記の各住居域に導入された空調済空気ＣＡを、住居域２１０に流出させる。２階床下空間２３２への空調済空気ＣＡの導入は種々の手法で達成でき、例えば、空調機室１２１が有する一つの送風機１２３ａから２階床下空間２３２まで、或いは、送気用区画部１１３から２階床下空間２３２までダクトを延ばし、このダクトを介して２階床下空間２３２に空調済空気ＣＡを導き、その空調済空気ＣＡを送気口１１５から２階の各住居域に導入できる。また、空調機室１２１が有する一つの送風機１２３ａ或いは送気用区画部１１３から２階床下空間２３２までダクトを延ばし、ダクトをそれぞれの住居域の送気口１１５に繋いでも良い。この他、１階の住居域２１１にも、その天井に流出口１３０と吸引送風機１３１とを設け、住居域２１１から２階床下空間２３２に空調済空気ＣＡを導入してもよい。
【００２６】
次に、空調機室１２１から送風機用チャンバー室１２４を経た送気用区画部１１３への空調済空気ＣＡの送風について説明する。図３は、空調機室１２１と送風機用チャンバー室１２４の様子を図２における３−３線に沿った方向から平面視して概略的に示す説明図である。
【００２７】
空調機室１２１は、保守点検用の前面扉１２５で開閉可能な空間であり、図２の正面視奥側上方に空調機１４０を備える。送風機用チャンバー室１２４は、屈曲した仕切壁１２２で空調機室１２１と仕切られた平面視Ｌ字状の区画領域であり、住居側壁１０２に沿って、空調機室１２１の正面視奥側の仕切壁１２２と、空調機室１２１の正面視左方側の仕切壁１２２とで空調機室１２１を取り囲む。この送風機用チャンバー室１２４は、図１に示すように、送気用区画部１１３と空調機室１２１との連設箇所に位置する。本実施形態では、送風機用チャンバー室１２４は、既述したようにＬ字状の形状であるが、住居１００の構造により、その形状や内容積は、種々の形態を採り得る。なお、住居側壁１０２は、外壁下地材と内壁下地材との間に断熱材を設けた断熱性の外壁である。
【００２８】
図２に示すように、空調機１４０は、空調機室１２１の上方側において仕切壁１２２に固定され、吹出口から空調済空気ＣＡを空調機室１２１に吹き出す。本実施形態の空調システム１２０は、８台の送風機１２３ａ（送風機１２３ａ１〜１２３ａ８）を仕切壁１２２に配設して備える。図２に示すように、送風機１２３ａ１〜１２３ａ８の総ては、空調機１４０の下方側に位置する。そして、送風機１２３ａ１と送風機１２３ａ２は、図２および図３に示すように、空調機室１２１の正面視左方側の仕切壁１２２に上下に配設されている。他の送風機１２３ａ３〜送風機１２３ａ８は、空調機室１２１の正面視奥側の仕切壁１２２に上下に横２列で配設されている。送風機１２３ａ１〜１２３ａ８の各送風機は、シロッコファンを内蔵し、３０ｃｍ角の略正方形の吸込パネルにより仕切壁１２２に配設・固定され、直径１５ｃｍ程の吹出口を吸込パネルの背面側で下方に向けている。なお、吹出口は、ダクト配設の都合により、側方や斜め方向を向いてもよい。送風機１２３ａ１〜１２３ａ８の各送風機は、風量一定制御を行う直流モーターを搭載し、風路の圧力損失が多少異なっても回転数を増減させて所定の風量で送風できるように制御されることで、一定風量の送風機能を発揮する。なお、送風機１２３ａ１〜１２３ａ８の吸込パネルは、３０ｃｍ角より大きくても小さくてもよく、吹出口にあっても、その直径が１５ｃｍより大きくても小さくてもよい。
【００２９】
空調システム１２０は、送風機１２３ａ１〜１２３ａ８の各送風機ごとに送風ダクト１２８を備える。この送風ダクト１２８は、線材からなる螺旋状の心材を円筒状のグラスウールなどで内部と外部から被覆して構成され、全体に屈曲可能なフレキシブルダクトである。こうした構成を有する送風ダクト１２８は、通風時の消音機能と断熱機能を発揮する。そして、送風ダクト１２８は、図２に示すように、ダクト一端が送風機１２３ａ１〜１２３ａ８の各送風機の吹出口に接続され、送気用区画部１１３が形成する送風路の上端側、即ち送気用区画部１１３自体の上端側にダクト他端が位置するように、送風機１２３ａ１〜１２３ａ８の各送風機から送気用区画部１１３まで延伸して配設されている。そして、送風機１２３ａ１〜１２３ａ８の設置位置が異なることから、送風機ごとの送風ダクト１２８のダクト寸法（ダクト長）は、送風機ごとに異なる。図４は、送気用区画部１１３までの送風ダクト１２８の延伸の様子を概略的に示す説明図である。
【００３０】
送風機１２３ａ１〜１２３ａ８の各送風機ごとの送風ダクト１２８は、それぞれ異なる経路で各送風機から送気用区画部１１３まで延伸し、ダクト一端１２８ａが該当する送風機の吹出口に接続され、ダクト他端１２８ｂが送気用区画部１１３に位置する。また、送風機１２３ａ１〜１２３ａ８の各送風機ごとの送風ダクト１２８は、図４に示すように、ダクト他端１２８ｂの側において隣接する送風ダクト間の隔たりを送風機側のダクト一端１２８ａの側において隣接する送風ダクト間の隔たりよりも小さくして、送気用区画部１１３に配設されて、送気用区画部１１３においてダクト他端１２８ｂを近接させている。本実施形態の空調システム１２０は、送気用区画部１１３の送風路の上端にダクト保持体１２６を内接配置して備える。このダクト保持体１２６は、送風機１２３ａ１〜１２３ａ８の８台の送風機分の貫通孔１２６ｈを有する。貫通孔１２６ｈは、送風ダクト１２８のダクト端部、即ち上記したダクト他端１２８ｂが入り込む貫通孔であって、図３および図４に示すように、４個並びが２列の列状で８個形成されている。そして、貫通孔１２６ｈは、この２列の並びで、送風ダクト１２８のダクト他端１２８ｂを送気用区画部１１３の送風路において近接させて保持する。つまり、ダクト保持体１２６が装着される送気用区画部１１３の縦横の内寸法は、送風ダクト１２８が４個並びで２列に収まる程の大きさであればよく、これ以上の大きさとする必要は無い。この場合、送風機ごとの送風ダクト１２８は、定寸法でダクト保持体１２６からダクト他端１２８ｂが突出するように保持され、ダクト他端１２８ｂは、総て同じ向きで送気用区画部１１３の通風方向に向いている。そして、貫通孔１２６ｈと送風ダクト１２８との隙間には、コーキング材が塗布、または気密用フランジが取り付けられる。
【００３１】
上記した空調システム１２０を有する住居１００の建築工程においては、柱や間柱を組み立てる上棟に続き、住居外壁と屋根１０９や窓の取り付け工程、床を張る工程等を行い、その後、送気用区画部１１３の上端側にダクト保持体１２６を内接配置し、このダクト保持体１２６に各送風機ごとの送風ダクト１２８を仮配設する。この際、送風機１２３ａ１〜１２３ａ８への電気配線を仮配設する。建物内部の仕切り壁や天井を組み付ける内装工程では、送気用区画部１１３の他、空調機室１２１や送風機用チャンバー室１２４が形成され、その内部には各送風機ごとの送風ダクト１２８や電気配線が配設済である。そして内装仕上げ工程の終了後に、送風機１２３ａ１〜１２３ａ８のそれぞれの吹出口に送風ダクト１２８を接続するとともに、仕切壁１２２に予め設けた送風機取付用の開口部に送風機１２３ａ１〜１２３ａ８を設置する。これにより、空調システム１２０が構築される。
【００３２】
以上説明した本実施形態の空調システム１２０は、空調機１４０で空調した空調済空気ＣＡの空調機室１２１から送気用区画部１１３への送風を、送風機１２３ａ１〜１２３ａ８のそれぞれの吹出口に接続されて送気用区画部１１３に亘って設けられた送風機ごとの送風ダクト１２８で担う。よって、図３に示すように、送風機１２３ａ１と送風機１２３ａ２が他の送風機に比べて送気用区画部１１３から離れていても、これら送風機１２３ａ１〜１２３ａ２を含む総ての送風機１２３ａ１〜１２３ａ８からの送風ダクト１２８を、ダクト他端１２８ｂが送気用区画部１１３に位置して近接するように、送気用区画部１１３まで延伸できる。このため、送風機１２３ａ１〜１２３ａ２を含む８台の総ての送風機から、送風ダクト１２８により安定した空気の流れで送気用区画部１１３に空調済空気ＣＡを送風できると共に、例えば送風機１２３ａ１から送気用区画部１１３への送風に他の送風機からの送風に影響を及ぼさない。この結果、本実施形態の空調システム１２０によれば、空調機室１２１で得た空調済空気ＣＡを複数台の送風機１２３ａ１〜１２３ａ８を用いて同じ方向にムラなく送気用区画部１１３に導き入れることができる。換言すれば、空調機室１２１から送気用区画部１１３への空調済空気ＣＡの送風を担う複数台の送風機の配設の自由度が高まるので、送風機用チャンバー室１２４の形状の制約が低くなり、空調システム１２０の導入が容易となる。
【００３３】
本実施形態の空調システム１２０は、送気用区画部１１３と空調機室１２１との連設箇所に送風機用チャンバー室１２４を設け、この送風機用チャンバー室１２４と空調機室１２１を隔てる仕切壁１２２に、送風機１２３ａ１〜１２３ａ８を上下２列に配設して備える。よって、本実施形態の空調システム１２０によれば、図２および図３に示すように、送風機用チャンバー室１２４における送風ダクト１２８の設置作業や保守点検も容易となる。また、空調機室１２１の側での送風機１２３ａ１〜１２３ａ８の配置作業や保守点検も容易となる。
【００３４】
本実施形態の空調システム１２０は、送風機１２３ａ１〜１２３ａ８のそれぞれから送気用区画部１１３まで延伸させた送風ダクト１２８を、消音機能を有するフレキシブルダクトとした上で、送風機用チャンバー室１２４において延ばしている。よって、本実施形態の空調システム１２０によれば、送気用区画部１１３への空調済空気ＣＡの送風に際して発生し得る異音、例えば空調済空気ＣＡが送気用区画部１１３に到るまでの間の共鳴音等を送風機用チャンバー室１２４の形状に拘わらず抑制できる。また、消音機能に加え断熱機能も有する送風ダクト１２８を送風機用チャンバー室１２４に配設する事で、次の利点がある。送風機用チャンバー室１２４では、送風機１２３ａ１〜１２３ａ８の運転音による共鳴が起き得るが、送風機用チャンバー室１２４に延びる複数本の送風ダクト１２８により、送風機運転音による共鳴の消失、或いは抑制を図ることができる。そして、送風機１２３ａ１〜１２３ａ８の吸込パネル側から外に漏れる運転音も低減できた。つまり、送風機１２３ａ１〜１２３ａ８の吸込パネル前方１０ｃｍでの送風機運転音を、送風ダクト１２８が無い場合とある場合とで測定したところ、送風ダクト１２８を送風機用チャンバー室１２４に延伸させれば、送風ダクト１２８が無い場合の運転音４６．８ｄＢ（Ａレンジによる）に比べ２ｄＢ程度の運転音を低減できた。よって、空調機室１２１と送風機用チャンバー室１２４とを例えば２階に設けた場合には、その周辺に廊下等が配置されるが、廊下等での送風機運転音の認知を抑制できる。
【００３５】
本実施形態の空調システム１２０は、空調機室１２１から送気用区画部１１３にまで送風ダクト１２８を延伸させるに当たり、送気用区画部１１３の送風路の上端にダクト保持体１２６を内接配置して、このダクト保持体１２６の複数の貫通孔１２６ｈで送風ダクト１２８のダクト他端１２８ｂを保持する。よって、本実施形態の空調システム１２０によれば、送風ダクト１２８の設置作業をより簡便とできる。
【００３６】
本実施形態の空調システム１２０は、送風機１２３ａ１〜１２３ａ８の各送風機による送風機能を、直流モーターの制御を通した一定風量の送風機能とした。よって、本実施形態の空調システム１２０によれば、送風機１２３ａ１〜１２３ａ８の各送風機ごとの送風ダクト１２８から送気用区画部１１３に送風される空調済空気ＣＡの風量と風速が定量となるので、送気用区画部１１３で空調済空気ＣＡが合流する際の圧損をダクト長さに拘わらず効果的に抑制できる。
【００３７】
本実施形態の空調システム１２０は、送風機１２３ａ１〜１２３ａ８の各送風機ごとの送風ダクト１２８をダクト保持体１２６で保持するに当たり、貫通孔１２６ｈと送風ダクト１２８との隙間にコーキング材や気密用フランジを設けた。よって、本実施形態の空調システム１２０によれば、送風機１２３ａ１〜１２３ａ８からの送風により送気用区画部１１３の内圧が上がっても、送風済みの空調済空気ＣＡが送風機用チャンバー室１２４に漏れることを防止できるので、送風機用チャンバー室１２４内部の気密コーキングは不要となり、送気用区画部１１３内側の送風路のみを気密とすればよい。換言すれば、送風機用チャンバー室１２４は、仕切壁１２２以外の壁面を備えず、送風機１２３ａ１〜１２３ａ８を取り付ける支柱等の枠体で構成される区画であっても構わない。また、コーキングすることで、送風機１２３ａ１〜１２３ａ８を配設するまでの工事の間に送風ダクト１２８が移動したりすることを防止することもできる。
【００３８】
本発明は、上述の実施形態に限られるものではなく、その趣旨を逸脱しない範囲において種々の構成で実現することができる。例えば、発明の概要の欄に記載した各形態中の技術的特徴に対応する実施形態の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【００３９】
既述した実施形態では、仕切壁１２２で区切られた空調機室１２１と送風機用チャンバー室１２４とを屋根裏１１０に設けたが、送気用区画部１１３を有する住居１００の適宜な箇所、例えば２階の住居域の一部である押し入れや２階廊下の一画などに設けてもよい。
【００４０】
既述した実施形態では、送風機用チャンバー室１２４を屈曲した仕切壁１２２で空調機室１２１と仕切られた平面視Ｌ字状の区画領域としたが、住居１００における屋根裏１１０や２階住居域の構造、或いは送気用区画部１１３が形成する送風路の形状等に応じて、Ｌ字状以外の区画領域としてもよい。図５は、変形例の送風機用チャンバー室１２４の平面視態様を示す説明図である。この変形例の送風機用チャンバー室１２４は、平板状の仕切壁１２２で空調機室１２１と仕切られた平面視扁平長方形の区画領域となる。
【００４１】
既述した実施形態では、それぞれの送風機に接続した送風ダクト１２８をダクト保持体１２６により保持したが、これに限らない。例えば、送風ダクトごとに金具等を用いて、送風ダクト１２８のダクト他端１２８ｂが近接するように、送気用区画部１１３の上端に送風ダクト１２８を直接保持してもよい。また、送気用区画部１１３の上端を覆っている送風機用チャンバー室１２４の床自体に、貫通孔１２６ｈに相当する貫通孔を形成して、送風ダクト１２８をそのダクト他端１２８ｂの側で保持してもよく、こうすれば、ダクト保持体１２６を用いなくてもよい。この他、送気用区画部１１３の上端までそれぞれの送風機から延在した送風ダクト１２８を、そのダクト他端１２８ｂにおいて、結束バンドで結束し、その結束状態のまま、複数の送風ダクト１２８を金具等を用いて送気用区画部１１３の上端に直接保持してもよい。
【００４２】
既述した実施形態では、複数の送風ダクト１２８を保持するダクト保持体１２６を、貫通孔１２６ｈを縦横に２列有する保持体としたが、貫通孔１２６ｈを千鳥状に備えたり、送気用区画部１１３の中央領域に貫通孔１２６ｈを集めて形成した保持体としてもよい。この他、貫通孔１２６ｈを送気用区画部１１３の壁面寄りに離して形成したダクト保持体１２６としたり、格子状の枠体とし、それぞれの格子を貫通孔１２６ｈに代用してもよい。
【００４３】
既述した実施形態では、送気用区画部１１３を、空調機室１２１の側から住居１００の床下の側に向けて住居外壁の側に形成したが、例えば吹き抜けの住居域２１０の域内に中空の柱を設け、この中空の柱を送気用区画部１１３としてもよい。この他、既設の住居１００の住居外壁の外壁面に、新たに送気用区画部１１３を液密・気密に追加・形成してもよい。
【００４４】
既述した実施形態では、送風機ごとの送風ダクト１２８をダクト他端１２８ｂが定寸法でダクト保持体１２６から突出するように保持したが、ダクト他端１２８ｂの吐出寸法は、例えば数センチ程度の差があってもよい。
【００４５】
既述した実施形態では、ダクト保持体１２６に貫通孔１２６ｈを４個の２列の並びで設けたが、３個の並びが２列で２個の並びが１列の都合３列で８個、有するようにしても意よい。また、送風機１２３ａが６台であれば、貫通孔１２６ｈを３個の２列の並びとしてもよい。
【符号の説明】
【００４６】
１００…住居
１０１…基礎
１０２…住居側壁
１０８…天井
１０９…屋根
１１０…屋根裏
１１１…床下空間
１１１ａ…床下空間
１１１ｂ…床下空間
１１２…住居床
１１３…送気用区画部
１１４…床下空間連通箇所
１１５…送気口
１１６…吸引送風機
１１９…ダクト内送風機
１２０…空調システム
１２１…空調機室
１２２…仕切壁
１２３ａ…送風機
１２３ａ１〜１２３ａ８…送風機
１２３ｂ…送風機
１２４…送風機用チャンバー室
１２５…前面扉
１２６…ダクト保持体
１２６ｈ…貫通孔
１２８…送風ダクト
１２８ａ…ダクト一端
１２８ｂ…ダクト他端
１３０…流出口
１３１…吸引送風機
１４０…空調機
１５０…外気導入系
１５１…外気吸入部
１５３…接続部
１５４…外気導入管
１５５…熱交換器
１５６…エアフィルター
１５７…排気管
１７０…排気口
１７２…吸引送風機
２１０…住居域
２１１…住居域
２１１ｄ…ダクト
２２１…住居域
２２２…住居域
２３１…２階床
２３２…２階床下空間
ＣＡ…空調済空気
【図１】
2018128219.tif 000003
【図２】
2018128219.tif 000004
【図３】
2018128219.tif 000005
【図４】
2018128219.tif 000006
【図５】
2018128219.tif 000007